(57)【特許請求の範囲】
【請求項１】
器具本体の外面に設けられた小開口に臨んで器具本体内に照度センサを配設させてなる照明器具において、前記小開口に、略筒状をなし一端側の外面に前記器具本体の小開口周端への係止部が設けられると共に他端側の内側に前記照度センサの検知範囲を制限する遮光部が略中央に設けられてその周辺部が透光開口とされた検知範囲調整具を装着させ、この検知範囲調整具の係止部近傍の内側に、検知範囲調整具に入射する光の透過率を調整するフィルタを着脱自在に装着したことを特徴とする照明器具。
【請求項２】
前記検知範囲調整具の係止部近傍の内側に雌ねじを設けると共に、前記フィルタの外面に前記雌ねじに螺合する雄ねじを設けたことを特徴とする請求項１記載の照明器具。
【請求項３】
前記検知範囲調整具を、弾性体により形成させたことを特徴とする請求項１、または請求項２記載の照明器具。
【発明の詳細な説明】
【０００１】
【発明の属する技術分野】
本発明は、照明器具に関し、特に器具本体に照度センサが設けられてなる照明器具に関するものである。
【０００２】
【従来の技術】
図３及び図４は、従来の照明器具を示すもので、この照明器具は、器具本体１と、照度センサ２、及びその検知範囲調整具３とを備えて構成されている。
【０００３】
器具本体１は、一方に開口した略箱状をなしその開口に面して内部にランプ４が配設されてなり、開口した側を下方として天井に取り付けられるようにされており、内部には点灯装置（図示せず）等が収容されるようにされている。また、器具本体１の一端側の下面には上方にくぼむ小径の凹部１ａが設けられ、その凹部１ａの奥側には小開口１ｂが設けられている。
【０００４】
照度センサ２は、器具本体１の小開口１ｂに臨んで器具本体１の内部に配設され、その出力により照明器具１の出力を照度レベルに応じて調整させるものであって、前面側である下面側には、その検知範囲を制限する検知範囲調整具３が設けられている。
【０００５】
検知範囲調整具３は、樹脂製であって所定の内径Ｄ１を有する略筒状をなし、その一端側である下側の外面には器具本体１の小開口１ｂ周端に係止される係止部３ａが設けられると共に、その係止部３ａ近傍の内側には、略中央部に照度センサ２に入射する光の一部、特に直下から入射する光を遮光する直径Ｄ２の遮光部３ｂが、周壁から伸びる支持部３ｃにより固定されて設けられて検知範囲調整具３に入射する光の量を制限させるようにされている。つまり、検知範囲調整具３は、筒状の内側であって下端側に、その周壁から略十字状に形成された支持部３ｃの中央に遮光部３ｂが形成されており、その遮光部３ｂの周壁側が支持部３ｃを除いて開口するように形成されて、下方から上方に光が通過するようにされている。そして、このような検知範囲調整具３は、その係止部３ａを照明器具１の小開口１ｂ周端に係止させて器具本体１に固着されており、遮光部３ｂと照度センサ２の下面側のセンサレンズとの距離が、所定距離ｈとなるようにされている。
【０００６】
このように構成された照明器具は、所定の条件の取付環境において、照度センサ２に入射する反射光等を計測させることにより、その照度レベルに応じて照明器具１を調光制御させて、所定の条件において机上面や床面等の照度を略一定となるようにさせている。
【０００７】
【発明が解決しようとする課題】
しかしながら、このように構成された従来の照明器具においては、検知範囲調整具３が器具本体１に固着されており、その遮光部３ｂは、取付環境に合わせてその環境毎に設定する必要があるため、環境の変化に対して柔軟な対応がとれないという問題点があった。また、照度センサ２のセンサレンズの下面側の検知範囲調整具３は、その内側の遮光部３ｂと支持部３ｃを除く部分が開口しており、センサレンズは汚れ易く、また、検知範囲調整具３は小径の凹部１ａの奥側に設けられた小開口１ｂ周端に固定されており、その中央部に遮光部３ｂが支持部３ｃにより支持されて設けられているため、照度センサ２のセンサレンズを清掃するには小径の凹部１ａの下面側であって、検知範囲調整具３の遮光部３ｂの周囲のわずかな開口、つまり、小開口１ｂの４分の１以下のわずかな開口からしか行えず、メンテナンスがしにくいという問題点があった。
【０００８】
本発明は、上記問題点に鑑みてなされもので、その目的とするところは、取付環境の変化に容易に対応できると共にメンテナンスのし易い照度の計測部を備えた照明器具を提供することにある。
【０００９】
【課題を解決するための手段】
本発明は上記の問題点を解決するため、請求項１記載の発明にあっては、器具本体１の外面に設けられた小開口１ｂに臨んで器具本体１内に照度センサ２を配設させてなる照明器具において、前記小開口１ｂに、略筒状をなし一端側の外面に前記器具本体１の小開口１ｂ周端への係止部３ａが設けられると共に他端側の内側に前記照度センサ２の検知範囲を制限する遮光部３ｂが略中央に設けられてその周辺部が透光開口３ｄとされた検知範囲調整具３を装着させ、この検知範囲調整具３の係止部３ａ近傍の内側に、検知範囲調整具３に入射する光の透過率を調整するフィルタ５を着脱自在に装着したことを特徴とするものである。
【００１０】
請求項２記載の発明にあっては、請求項１記載の照明器具において、前記検知範囲調整具３の係止部３ａ近傍の内側に雌ねじ３ｅを設けると共に、前記フィルタ５の外面に前記雌ねじ３ｅに螺合する雄ねじ５ａを設けたことを特徴とするものである。
【００１１】
請求項３記載の発明にあっては、請求項１、または請求項２記載の照明器具において、前記検知範囲調整具３を、弾性体により形成させたことを特徴とするものである。
【００１２】
【発明の実施の形態】
図１及び図２は、本発明の照明器具の一実施の形態を示すものであり、この照明器具は、器具本体１と、照度センサ２、検知範囲調整具３、及びフィルタ５とを備えて構成されている。
【００１３】
照明器具１は、一方に開口した略箱状をなしその開口に面して内部にランプ４が配設されてなり、開口した側を下方として天井に取り付けられるようにされている。また、その内部にはランプ４を点灯させる点灯装置（図示せず）や、ランプ４の点滅及び調光制御を行う制御部（図示せず）等が収容されるようにされており、一端側の下面には小径の小開口１ｂが設けられている。
【００１４】
照度センサ２は、器具本体１の小開口１ｂに臨んで器具本体１の内部に配設され、照度レベルを計測してその出力を制御部に送信し、照明器具１の出力を照度レベルに応じて調整させるものであって、制御部は照度レベルが低ければ照明器具１の出力を上げ、照度レベルが高ければ出力を下げるように照明器具１を調光制御させ、所定の取付環境で例えば机上面や床面等の照度を略一定にするように動作するようにされている。また、照度センサ２の前面側である下面側には、その検知範囲を制限する検知範囲調整具３が設けられている。
【００１５】
検知範囲調整具３は、透光性部材により形成されて弾性を備え、所定の内径Ｄ１を有する上面が閉じた略筒状に形成されている。また、その一端側である下側の外面には器具本体１の小開口１ｂ周端に係止される係止部３ａが設けられており、その係止部３ａ近傍の内側には雌ねじ３ｅが設けられている。また、検知範囲調整具３の他端側である上面側の略中央部には、照度センサ２に入射する光の一部である、特に直下から入射する光を遮光する直径Ｄ２の遮光部３ｂが、例えば塗装等により形成され、その遮光部３ｂの外側の環状の部分が照度センサ２への光が通過する透光開口３ｄとされている。そして、このような検知範囲調整具３は、その係止部３ａを照明器具１の小開口１ｂ周端に係止させて器具本体１に取り付けられており、その上面に設けられた遮光部３ｂと照度センサ２の下面側のセンサレンズとの距離が、所定距離ｈとなるようにされている。
【００１６】
フィルタ５は、透光性部材で形成され、周端に立ち上がり部５ｂを備えた略板状に形成されてなり、立ち上がり部５ｂの外面には検知範囲調整具３の内面側に設けられた雌ねじに螺合する雄ねじが設けられている。このフィルタ５は、透過率を調整させて、検知範囲調整具３の内部に入射する光量を制限させるもので、透過率を変化させるために、成形条件が略同じ種々の樹脂により成形されたものから、取付環境に合わせて適切なものを選択して使用したり、必要に応じて表面に印刷加工をして、より広範囲の条件に対応可能に構成されている。
【００１７】
このように構成された照明器具では、その取付環境に応じて、検知範囲調整具３の内径Ｄ１や、遮光部３ｂの直径Ｄ２、照度センサ２と遮光部３ｂの距離ｈ、及びフィルタ５の透過率の変化させて照度の計測部を構成させ、その照度レベルに応じて照明器具１の出力を調整するようにされ、取付環境が変化すれば、フィルタ５を検知範囲調整具３から外して交換させたり、弾性体製の検知範囲調整具３を器具本体１から外して交換させて、制御部等に変更を加えることなく対応することができるようにされている。
【００１８】
このように構成されているため、本実施の形態における照明器具においては、フィルタ５が検知範囲調整具３に着脱自在とされているため、取付環境が変化すれば、フィルタ５を検知範囲調整具３から外して交換でき、また、検知範囲調整具３が弾性体製であるため検知範囲調整具３を器具本体１から容易に外して交換させることができ、制御部等に変更を加えることなく取付環境の変化に容易に対応することができる。さらには、フィルタ５及び検知範囲調整具３が照度センサ２のセンサレンズの前面側で開口していないため、センサレンズは汚れにくく、フィルタ５及び検知範囲調整具３が器具本体１から容易に取り外しできるため、照度センサ２のセンサレンズの清掃が、それらを取り外して小開口１ｂ全体を利用してできて、メンテナンス性が向上する。また、検知範囲調整具３の下端にはフィルタ５が装着されているため、検知範囲調整具３の内側も汚れにくくなって、検知範囲調整具３の内側を清掃する必要はほとんどなく、フィルタ５と検知範囲調整具３の外面を清掃すれば、光の透過率を所望の状態に維持できて、さらにメンテナンス性が良い。
【００１９】
【発明の効果】
このように構成されているため本発明は、請求項１、及び請求項２記載の発明にあっては、フィルタが検知範囲調整具に着脱自在とされているため、取付環境が変化すれば、フィルタを検知範囲調整具から外して交換したり、検知範囲調整具を器具本体から外して交換させることができ、制御部等に変更を加えることなく取付環境の変化に容易に対応することができる。さらには、フィルタ及び検知範囲調整具が照度センサの前面側で開口していないため、照度センサは汚れにくく、また、フィルタ及び検知範囲調整具が器具本体から取り外しできるため、照度センサの清掃が、それらを取り外して小開口全体を利用して行えて、メンテナンス性が向上する。
【００２０】
請求項３記載の発明にあっては、請求項１、または請求項２記載の発明の効果に加えて、検知範囲調整具が弾性体製であるため、取付環境が変化すれば、検知範囲調整具を器具本体から容易に外して交換させることができて、さらに広範な取付環境の変化に対応させることができる。
【図面の簡単な説明】
【図１】本発明の照明器具の一実施の形態を示すもので、(a) は斜視図、(b) は検知範囲調整具とフィルタの断面状態の側面図である。
【図２】同上の検知範囲調整具を示すもので、(a) は断面状態の側面図、(b) は平面図である。
【図３】従来の照明器具を示すもので、(a) は斜視図、(b) は検知範囲調整具と照度センサ部の一部断面状態の側面図である。
【図４】同上の検知範囲調整具を示すもので、(a) は側面図、(b) は平面図である。
【符号の説明】
１      照明器具
１ｂ    小開口
２      照度センサ
３      検知範囲調整具
３ａ    係止部
３ｂ    遮光部
３ｄ    透光開口
３ｅ    雌ねじ
５      フィルタ
５ａ    雄ねじ
【図１】
0003733653.tif 000002
【図２】
0003733653.tif 000003
【図３】
0003733653.tif 000004
【図４】
0003733653.tif 000005